(57)【特許請求の範囲】
【請求項１】
下面に吸込口を有する吸込具本体と、該吸込具本体内に形成される回転ブラシ収納室と、前記吸込口に臨ませた状態で回転ブラシ収納室に回転自在に収納され、外周にブレードを配設した回転ブラシとを備え、前記吸込具本体には、外気をブレードに案内し外気をブレードに衝突させて回転ブラシを回転させる吸気口を、吸込口とは別に形成すると共に、該吸気口を開閉自在に閉塞し回転ブラシ収納室内の圧力低下に伴って吸気口を開放する閉塞体を設けたことを特徴とする床用吸込具。
【請求項２】
下面に吸込口を有する吸込具本体と、該吸込具本体内に形成される回転ブラシ収納室と、前記吸込口に臨ませた状態で回転ブラシ収納室に回転自在に収納され、外周にブラシ体を配設した回転ブラシとを備え、前記吸込具本体には、外気をブラシ体に案内し外気をブラシ体に衝突させて回転ブラシを回転させる吸気口を、吸込口とは別に形成すると共に、該吸気口を開閉自在に閉塞し回転ブラシ収納室内の圧力低下に伴って吸気口を開放する閉塞体を設けたことを特徴とする床用吸込具。
【請求項３】
前記吸気口を、回転ブラシの芯体より前方位置に形成したことを特徴とする請求項１または請求項２記載の床用吸込具。
【請求項４】
前記ブレードを、回転ブラシの芯体に螺旋状に配設したことを特徴とする請求項１記載の床用吸込具。
【請求項５】
前記ブラシ体を、回転ブラシの芯体に螺旋状に配設したことを特徴とする請求項２記載の床用吸込具。
【請求項６】
前記吸気口を、回転ブラシの略全幅にわたって形成したことを特徴とする請求項１または請求項２に記載の床用吸込具。
【発明の詳細な説明】
【０００１】
【発明の属する技術分野】
本発明は、電気掃除機に接続して使用される床用吸込具の改良に関する。
【０００２】
【従来の技術】
従来、この種床用吸込具として、吸込具本体に回転ブラシを回転自在に枢支し、回転ブラシを電動機あるいはタービンによって回転駆動するものが知られていた。
【０００３】
回転ブラシを電動機により回転駆動するものにおいては、電動機の重量が重く、取扱性が悪いと共に、構造が複雑化して部品点数が増大し、組立作業性が悪いなどの欠点があった。
【０００４】
また、回転ブラシをタービンによって回転駆動するものにおいては、タービンは、吸込口から掃除機本体への吸込通路に形成されたタービン室内に配設され、塵埃と共に吸引された空気により回転する構成となっているため、長期使用によって、タービンに塵埃等が絡まり、タービンが良好に回転しなくなる問題があった。
【０００５】
そこで、上記欠点を解決するために、特開平９−２８６３０号公報（Ａ４７Ｌ  ９／０４）等にて回転ブラシの両端にタービンを配設し、タービンに外部の清浄な空気を供給してタービンを回転させ、その空気を吸込口から吸気した空気と共に電気掃除機に吸引するものが提案された。
【０００６】
しかしながら、この構成においては、回転ブラシの両側にタービンを配設する必要があり、部品点数が増大すると共に、タービンを回転させるために多量の外気を吸引することで塵埃吸引特性が低下することがないよう、少ない外気によりタービンを効率よく回転させる必要があり、タービン形状が複雑化する問題がある。また、タービン収納室の下面には吸込口を形成することができず、吸込具本体の横幅に対して吸込口が小さくなり、塵埃等の吸残しが生じる欠点があった。
【０００７】
【発明が解決しようとする課題】
本発明は、上記欠点に鑑みなされたもので、吸込具本体に、外気をブレード或いはブラシに案内して回転ブラシを回転させる吸気口を、吸込口とは別に形成すると共に、吸気口を開閉自在に閉塞し回転ブラシ収納室内の圧力低下に伴って吸気口を開放する閉塞体を設けるという、簡単な構成で効率よく回転ブラシを回転駆動し得る床用吸込具を提供することを課題とする。
【０００８】
【課題を解決するための手段】
本発明の第１の手段は、下面に吸込口を有する吸込具本体と、該吸込具本体内に形成される回転ブラシ収納室と、前記吸込口に臨ませた状態で回転ブラシ収納室に回転自在に収納され、外周にブレードを配設した回転ブラシとを備え、前記吸込具本体には、外気をブレードに案内する案内口を形成すると共に、該案内口を開閉自在に閉塞する閉塞体を設けたことを特徴とする。
【０００９】
本発明の第２の手段は、下面に吸込口を有する吸込具本体と、該吸込具本体内に形成される回転ブラシ収納室と、前記吸込口に臨ませた状態で回転ブラシ収納室に回転自在に収納され、外周にブラシ体を配設した回転ブラシとを備え、前記吸込具本体には、外気をブラシ体に案内する案内口を形成すると共に、該案内口を開閉自在に閉塞する閉塞体を設けたことを特徴とする。
【００１０】
前記閉塞体を回転ブラシ収納室内の真空度に応じて開放させる構成とすることが好ましい。
【００１１】
前記案内口を、吸込口とは別に形成することが好ましい。
【００１２】
前記案内口を、回転ブラシの芯体より前方位置に形成することが好ましい。
【００１３】
前記ブレードを、回転ブラシの芯体に螺旋状に配設することが好ましい。
【００１４】
前記ブラシ体を、回転ブラシの芯体に螺旋状に配設することが好ましい。
【００１５】
前記案内口を、回転ブラシの略全幅にわたって形成することが好ましい。
【００１６】
【発明の実施の形態】
本発明の第１の実施の形態を図１乃至図６に基づいて以下に詳述する。
【００１７】
１は略円筒状に形成された吸込具本体で、下面に吸込口２が形成され、内部に後述する回転ブラシ８が収納される回転ブラシ収納室３を形成しており、回転ブラシ収納室３は回転ブラシ８の回転軌跡に沿う円弧状に形成されている。４は前記吸込具本体１の両端開口を閉塞する端板で、車輪５を回転自在に支持する軸支部６が形成されており、前記車輪５により吸込口２と被掃除面との間に所定の間隔を形成している。７は前記端板４に固着される支持板である。
【００１８】
８は前記吸込口２に臨ませた状態で支持板７に回転自在に軸支されて回転ブラシ収納室３内に配設される回転ブラシで、該回転ブラシ８は、芯体９と、芯体９に形成された螺旋状の溝１０に基部１１を挿入して装着される一対のブラシ体１２と、芯体９の螺旋状の溝１０に基部１５を挿入して装着される一対のブレード１３とから構成されている。
【００１９】
前記ブレード１３は、布状体１４と、布状体１４の端部にモールドされた合成樹脂にて構成される基部１５と、布状体１４の他端部に縫いつけられた刷毛状体１６とから構成されており、ブレード１３は布状体１４に刷毛状体１６を縫いつけることにより、布状体１４が引きつって湾曲する。前記ブレード１３は、回転ブラシ８の回転方向に対して後方側に湾曲するように芯体９に装着されている。
【００２０】
前記ブレード１３は、回転ブラシ８の回転停止状態においては、図３に示す如く、回転ブラシ８の回転方向に対して後方側に湾曲しているが、回転ブラシ８が回転すると、回転に伴う遠心力によって図４に示す如く、起立状態となるようになっており、起立状態における回転軌跡の径を、ブラシ体１２の回転軌跡の径より径大に形成している。また、回転ブラシ８の停止状態においては、吸込具本体１を床面に載置しても、ブラシ体１２及びブレード１３が床面に接触しないように形成している。
【００２１】
１７は前記吸込具本体１に、長手方向に形成された案内口で、外気をブラシ体１２及びブレード１３に向かって案内するようになっている。
【００２２】
１８は前記吸込具本体１に回転自在に連結される継手管で、図示しない掃除機本体に可撓性ホース及び延長管を介して着脱自在に接続されるようになっている。
【００２３】
而して、掃除機本体に可撓性ホース及び延長管を介して継手管１８を接続し、掃除機本体を駆動すると、吸込口２から空気が吸引される。吸込具本体１を被掃除面から上げた状態では、吸込口２からの吸込抵抗が小さいため、吸込口２からほとんどの空気が吸い込まれる。この状態では、吸込口２が大きく開口しているため、吸込口２から吸引される空気の流速は比較的遅く、従って、回転ブラシ８はほとんど回転することはない。
【００２４】
フローリングなどの床面や畳等を掃除する際には、被掃除面と吸込口２との間隔が比較的広いため、吸込口２からの吸込抵抗が小さく、吸込口２からほとんどの空気が吸い込まれ、案内口１７からはほとんど空気が吸い込まれることはない。この状態では、吸込口２と被掃除面との間から吸引される空気は流速が早いため、吸込口２から吸引された空気及び案内口１７から吸引された空気が回転ブラシ８のブラシ体１２及びブレード１３に衝突し、回転ブラシ８を図１中反時計方向に回転させる。
【００２５】
ブレード１３は、回転ブラシ８の停止、低速回転状態において図３に示す如く、回転ブラシ８の回転方向に対して後方側に湾曲しているので、吸込口２及び案内口１７から吸引される空気を受けやすく、回転ブラシ８を回転させやすい。
【００２６】
回転ブラシ８が高速回転すると、ブレード１３が遠心力によって図４に示す如く起立する。このブレード１３の起立状態において、吸込具本体１を床面や畳に載置すると、ブレード１３が床面や畳に接触し、床面や畳の磨き掃除を行う。ブレード１３は撓みやすい布状体１４を用いているので、床面や畳に接触しても床面や畳を傷つけることはない。
【００２７】
絨毯等を掃除する際には、吸込口２が絨毯により覆われ、吸込口２からの吸込抵抗が増大し、案内口１７から吸引される空気量が増大する。案内口１７から吸引された空気は、ブラシ体１２及びブレード１３に衝突し、回転ブラシ８を図１中反時計方向に回転させると共に、案内口１７から空気を吸引することにより吸込具本体１が絨毯等に吸い付くのを抑制し、吸込具本体１の移動性を向上することができる。
【００２８】
絨毯等の掃除時においては、被掃除面が抵抗となって回転ブラシ８の回転が低下するが、回転ブラシ８の回転が低下してくると、ブレード１３は遠心力の低下に伴って次第に停止時の形状に復元するように回転方向に湾曲し、被掃除面との接触抵抗が低下して回転ブラシ８の回転数が上昇する。この動作を繰り返すことにより回転ブラシ８の回転数がほぼ一定に維持される。
【００２９】
ブレード１３は、布状体１４に刷毛状体１５を縫いつけて構成されているため、ブレード１３を撓みやすく構成することができると共に、刷毛状体１５をおもりとして遠心力によってブレード１３を起立しやすくすることができ、回転ブラシ８のわずかな回転数変動によってもブレード１３を起立、湾曲させることができ、回転ブラシ８の回転数をほぼ一定に維持することができる。
【００３０】
次に、本発明の第２の実施の形態を図７乃至図１２に基づいて以下に詳述する。尚、上記第１の実施の形態と同一部品は同一符号を付して説明を省略する。
【００３１】
２１は吸込具本体で、上ケース２２、下ケース２３、前記上ケース２２の上面の一部を覆うカバー体２４、前記上下ケース２２、２３の間に上下動自在に支持される回動管２５、該回動管２５に回動自在に支持される継手管２６から構成されている。２７は前記吸込具本体２１下面に形成された吸込口、２８は前記吸込具本体２１内部に形成される回転ブラシ収納室で、上記第１の実施の形態と同様の回転ブラシ８が回転時材に収納される。
【００３２】
２９は前記上ケース２２の幅方向に形成された案内口、３０は前記カバー体２４に形成された吸気口、３１は前記吸気口３０を閉塞する閉塞体で、絨毯等の被掃除面を掃除する場合などに、被掃除面によって吸込口２７が閉塞された際、回転ブラシ収納室２８内の圧力が低下するのに伴って回転ブラシ収納室２８側に変形し、吸気口３０から吸引した外気を案内口２９を介して回転ブラシ８のブラシ体１２及びブレード１３に外気を衝突させるようになっている。
【００３３】
３２は前記吸込具本体２１の吸込口２７の前後に配設されるサクションキーパーで、軟質ゴム等の可撓性を有する材料にて形成されており、サクションキーパー３２によって深部吸込力を向上させている。３３は前記吸込具本体２１の後部に回動自在に支持される後車輪である。
【００３４】
本発明の第２の実施の形態によれば、フローリングや畳等の被掃除面においては、吸込口２７からの吸気抵抗が小さく、吸込口２７からの吸気量が大きいため、回転ブラシ収納室２８内の圧力が大きく負圧になることはない。従って、吸気口３０に配設した閉塞体３１が変形して吸気口３０を開放することはない。この状態では、吸込口２７から吸引される空気が回転ブラシ８のブラシ体１２及びブレード１３に衝突して回転ブラシ８を回転駆動する。
【００３５】
また、絨毯等の被掃除面を掃除する際には、被掃除面が吸込口２７を閉塞するため、回転ブラシ収納室２８内の圧力が低下して、閉塞体３１が回転ブラシ収納室２８側に向かって変形し、吸気口３０及び案内口２９を介して吸気された外気がブラシ体１２及びブレード１３に衝突して回転ブラシ８を回転駆動する。
【００３６】
本実施の形態においては、吸気口３０に閉塞体３１を設けたが、閉塞体３１を吸気口２９に設けても良い。この場合には、カバー体２４をなくしても良い。
【００３７】
尚、上記第１、第２の実施の形態では、いずれも案内口１７、２９を吸込具本体１、２１の幅方向に横長状に形成したが、この構成においては、吸込具本体１、２１の強度が低下し、特に絨毯等の掃除時、案内口１７、２９周縁が回転ブラシ収納室３、２８側に変形して回転ブラシ８のブラシ体１２やブレード１３に接触し、回転ブラシ８の回転力低下が生じるおそれがあるため、案内口として多数の小孔を吸込具本体の幅方向に形成してもよい。
【００３８】
【発明の効果】
以上の如く、本発明の請求項１の構成によれば、吸込具本体に、外気をブレードに案内して回転ブラシを回転させる吸気口を吸込口とは別に形成すると共に、該吸気口を開閉自在に閉塞し回転ブラシ収納室内の圧力低下に伴って吸気口を開放する閉塞体を設けることにより、絨毯等の掃除時においては、閉塞体の変形により開放された吸気口から回転ブラシのブレードに外気を導くことにより、回転ブラシを駆動するためのタービンを設けることなく、外気をブレードで受けて効率よく回転ブラシを回転駆動することができる等の効果を奏する。
【００３９】
本発明の請求項２の構成によれば、吸込具本体に、外気をブラシ体に案内して回転ブラシを回転させる吸気口を形成すると共に、該吸気口を開閉自在に閉塞し回転ブラシ収納室内の圧力低下に伴って吸気口を開放する閉塞体を設けることにより、絨毯等の掃除時においては、閉塞体の変形により開放された吸気口から回転ブラシのブラシ体に外気を導くことにより、回転ブラシを駆動するためのタービンを設けることなく、外気をブラシ体で受けて効率よく回転ブラシを回転駆動することができる等の効果を奏する。
【図面の簡単な説明】
【図１】本発明の第１の実施の形態を示す断面図である。
【図２】同他の方向から見た断面図である。
【図３】同回転ブラシ停止時を示す回転ブラシの断面図である。
【図４】同回転ブラシ回転時を示す回転ブラシの断面図である。
【図５】同床用吸込具の上面図である。
【図６】同床用吸込具の正面図である。
【図７】本発明の第２の実施の形態を示す断面図である。
【図８】同要部拡大断面図である。
【図９】同他の方向から見た断面図である。
【図１０】同床用吸込具の上面図である。
【図１１】同床用吸込具の正面図である。
【図１２】同床用吸込具の底面図である。
【符号の説明】
１          吸込具本体
２          吸込口
３          回転ブラシ収納室
８          回転ブラシ
１２          ブラシ体
１３          ブレード
１７          案内口
２１          吸込具本体
２７          吸込口
２８          回転ブラシ収納室
２９          案内口
３０          吸気口
３１          閉塞体
【図１】
0003574115.tif 000002
【図２】
0003574115.tif 000003
【図３】
0003574115.tif 000004
【図４】
0003574115.tif 000005
【図５】
0003574115.tif 000006
【図６】
0003574115.tif 000007
【図７】
0003574115.tif 000008
【図８】
0003574115.tif 000009
【図９】
0003574115.tif 000010
【図１０】
0003574115.tif 000011
【図１１】
0003574115.tif 000012
【図１２】
0003574115.tif 000013